(57)【要約】      （修正有）【課題】特に正常な直立姿勢を長時間に亘って保持する、または正常な歩行状態を持続させる三点支持の構成を維持することができる足底バランス保持部材を提供する。【解決手段】緩衝材からなり、上面と、下面と、足の裏における第１中足骨骨頭部に対応する第１中足骨部１１と、足の裏における第４中足骨骨頭部に対応する第４中足骨部１４と、足の裏における踵の区域に対応する踵部とを有する本体１０と、前記第１中足骨部１１と第４中足骨部１４との間に位置する第１調節部２０とを有すること。【選択図】図１
2011229595.tif 000002
【特許請求の範囲】
【請求項１】
緩衝材からなり、上面と、下面と、足底における第１中足骨骨頭部に対応する第１中足骨部と、足底における第４中足骨骨頭部に対応する第４中足骨部と、足底における踵の区域に対応する踵部とを有する本体と、
前記第１中足骨部と第４中足骨部との間に位置し、該本体を穿通する貫通穴からなる貫通孔構造と、該本体に挿入される前記緩衝材より柔軟な柔軟材からなる柔軟構造と、該本体の上面に凹設される凹入穴からなる上面凹入構造と、該本体の下面に凹設される凹入穴からなる下面凹入構造と、該本体の上面に嵌入される該緩衝材より柔軟な柔軟材からなる上面柔軟構造と、該本体の下面に嵌入される該緩衝材より柔軟な柔軟材からなる下面柔軟構造と、該本体より薄い肉薄構造と、該本体の上面及び下面に夫々嵌入される該緩衝材より柔軟な柔軟材からなる両面柔軟構造と、中空構造と、該本体の内部に充填される該緩衝材より柔軟な柔軟材より形成される充填柔軟構造からなる群より選択される１つの構造を含む第１調節部と、を有することを特徴とする足底バランス保持部材。
【請求項２】
前記第１調節部が前記踵部に向かって、本体における足の縦軸アークの前端に対応する箇所まで延出することを特徴とする請求項１に記載の足底バランス保持部材。
【請求項３】
さらに、前記第４中足骨部と踵部との間に位置し、前記本体を穿通する貫通穴からなる貫通孔構造と、該本体に挿入される前記緩衝材より柔軟な柔軟材からなる柔軟構造と、該本体の上面に凹設される上面凹入構造と、該本体の下面に凹設される下面凹入構造と、該本体の上面に嵌入される該緩衝材より柔軟な柔軟材からなる上面柔軟構造と、該本体の下面に嵌入される該緩衝材より柔軟な柔軟材からなる下面柔軟構造と、該本体より薄い肉薄構造と、該本体の上面及び下面に夫々嵌入される該緩衝材より柔軟な柔軟材からなる両面柔軟構造と、中空構造と、該本体の内部に充填される該緩衝材より柔軟な柔軟材により形成される充填柔軟構造からなる群より選択される１つの構造を含む第２調節部と、を有することを特徴とする請求項１に記載の足底バランス保持部材。
【請求項４】
さらに、前記第４中足骨部と踵部の間に位置し、前記本体を貫通する貫通穴からなる貫通孔構造と、該本体に挿入される前記緩衝材より柔軟な柔軟材からなる柔軟構造と、該本体の上面に凹設される上面凹入構造と、該本体の下面に凹設される下面凹入構造と、該本体の上面に嵌入される該緩衝材より柔軟な柔軟材からなる上面柔軟構造と、該本体の下面に嵌入される該緩衝材より柔軟な柔軟材からなる下面柔軟構造と、該本体より薄い肉薄構造と、該本体の上面及び下面に夫々嵌入される該緩衝材より柔軟な柔軟材からなる両面柔軟構造と、中空構造と、該本体の内部に充填される該緩衝材より柔軟な柔軟材より形成される充填柔軟構造からなる群より選択される１つの構造を含む第２調節部と、を有することを特徴とする請求項２に記載の足底バランス保持部材。
【請求項５】
前記第１調節部は、前記本体の下面に凹設されると共に、その内面が該本体の上面へ湾曲可能な凹入穴からなる下面凹入湾曲構造を有することを特徴とする請求項１に記載の足底バランス保持部材。
【請求項６】
前記本体はミッドソールであることを特徴とする請求項１に記載の足底バランス保持部材。
【請求項７】
前記本体はインソールであることを特徴とする請求項１に記載の足底バランス保持部材。
【請求項８】
前記本体はミッドソールであることを特徴とする請求項５に記載の足底バランス保持部材。
【請求項９】
前記本体はインソールであることを特徴とする請求項５に記載の足底バランス保持部材。
【発明の詳細な説明】
【技術分野】
【０００１】
本発明は、特に正常な直立姿勢を長時間にわたって保持する、または正常な歩行状態を保持するために、靴のインソールまたはミッドソールとして使用される足底バランス保持部材に関するものである。
【背景技術】
【０００２】
図１６に示すように、直立姿勢を保持するためには、体重を第１中足骨骨頭部（９１）、第４中足骨骨頭部（９４）及び踵（９６）からなる三点をそれぞれバランスよく支持しなければならない。
【先行技術文献】
【特許文献】
【０００３】
【特許文献１】特開２００４−１９４７３４号公報
【発明の概要】
【発明が解決しようとする課題】
【０００４】
しかしながら、直立姿勢または歩行時には、前記第１中足骨骨頭部（９１）と第４中足骨骨頭部（９４）との間に位置する第１区域が、該第１中足骨骨頭部（９１）及び第４中足骨骨頭部（９４）の何れよりも下方へ突出することから、体重が該第１中足骨骨頭部（９１）または第４中足骨骨頭部（９４）側へ傾くことから、前記三点支持の構成が崩れてしまう。
【０００５】
また、一部の人は、無意識に前記第４中足骨骨頭部（９４）と踵（９６）との間に位置する第２区域（９８）に体重を配分し、外股で直立姿勢または歩行しがちである。
【０００６】
そこで、出願されたのが本発明であって、体を安定的に支持することができるように、三点支持の構成を保持する足底バランス保持部材を提供することを目的としている。
【課題を解決するための手段】
【０００７】
本願の請求項１の発明は、本体と、第１調節部とを有する足底バランス保持部材を提供するものであり、
該本体は緩衝材からなり、上面と、下面と、足底における第１中足骨骨頭部に対応する第１中足骨部と、足底における第４中足骨骨頭部に対応する第４中足骨部と、足底における踵の区域に対応する踵部とを備え、該第１調節部は、該第１中足骨部と第４中足骨部との間に位置し、該第１中足骨部と第４中足骨部との間に位置し、該本体を穿通する貫通穴からなる貫通孔構造と、該本体に挿入される前記緩衝材より柔軟な柔軟材からなる柔軟構造と、該本体の上面に凹設される凹入穴からなる上面凹入構造と、該本体の下面に凹設される凹入穴からなる下面凹入構造と、該本体の上面に嵌入される該緩衝材より柔軟な柔軟材からなる上面柔軟構造と、該本体の下面に嵌入される該緩衝材より柔軟な柔軟材からなる下面柔軟構造と、該本体より薄い肉薄構造と、該本体の上面及び下面に夫々嵌入される該緩衝材より柔軟な柔軟材からなる両面柔軟構造と、中空構造と、該本体の内部に充填される、該緩衝材より柔軟な柔軟材より形成される充填柔軟構造からなる群より選択される１つの構造を有することを特徴とするものである。
【０００８】
本願の請求項２の発明は、前記第１調節部が前記踵部に向かって、本体における足の縦軸アークの前端に対応する箇所まで延出することを特徴とする足底バランス保持部材を提供するものである。
【０００９】
本願の請求項３の発明に係る足底バランス保持部材は、さらに第２調節部を有し、該第２調節部は、前記第４中足骨部と踵部との間に位置し、前記本体を穿通する貫通穴からなる貫通孔構造と、該本体に挿入される前記緩衝材より柔軟な柔軟材からなる柔軟構造と、該本体の上面に凹設される上面凹入構造と、該本体の下面に凹設される下面凹入構造と、該本体の上面に嵌入される該緩衝材より柔軟な柔軟材からなる上面柔軟構造と、該本体の下面に嵌入される該緩衝材より柔軟な柔軟材からなる下面柔軟構造と、該本体より薄い肉薄構造と、該本体の上面及び下面に夫々嵌入される該緩衝材より柔軟な柔軟材からなる両面柔軟構造と、中空構造と、該本体の内部に充填される該緩衝材より柔軟な柔軟材より形成される充填柔軟構造からなる群より選択される１つの構造を有することを特徴とするものである。
【００１０】
本願の請求項４の発明は、前記第１調節部が前記踵部に向かって、本体における足の縦軸アークの前端に対応する箇所まで延出すると共に、さらに前記ダイ２調節部を有することを特徴とする足底バランス保持部材を提供するものである。
【００１１】
本願の請求項５の発明は、第１調節部が前記本体の下面に凹設されると共に、その内面が前記本体の上面へ湾曲可能な凹入穴からなる下面凹入湾曲構造を有することを特徴とする足底バランス保持部材を提供するものである。
【００１２】
本願の請求項６ないし請求項９の発明は、前記本体がミッドソールまたはインソールであることを特徴とする足底バランス保持部材を提供するものである。
【発明の効果】
【００１３】
本発明の足底バランス保持部材は、正常な直立姿勢を長時間に亘って保持する、または正常な歩行状態を持続させるため、第１中足骨骨頭部、第４中足骨骨頭部及び踵からなる三点支持の構成を常に提供することができる。
【図面の簡単な説明】
【００１４】
【図１】本発明に係る足底バランス保持部材の第１実施例の平面図である。
【図２】本発明に係る足底バランス保持部材の第１実施例の底面図である。
【図３】本発明に係る足底バランス保持部材の第１実施例の使用状態を示す平面図である。
【図４】本発明に係る足底バランス保持部材の第１実施例の使用状態を示す側面断面図である。
【図５】本発明に係る足底バランス保持部材の第２実施例の部分側面断面図である。
【図６】本発明に係る足底バランス保持部材の第３実施例の部分側面断面図である。
【図７】本発明に係る足底バランス保持部材の第４実施例の部分側面断面図である。
【図８】本発明に係る足底バランス保持部材の第５実施例の部分側面断面図である。
【図９】本発明に係る足底バランス保持部材の第６実施例の部分側面断面図である。
【図１０】本発明に係る足底バランス保持部材の第７実施例の部分側面断面図である。
【図１１】本発明に係る足底バランス保持部材の第８実施例の部分側面断面図である。
【図１２】本発明に係る足底バランス保持部材の第９実施例の平面図である。
【図１３】本発明に係る足底バランス保持部材の第９実施例の使用状態を示す平面図である。
【図１４】本発明に係る足底バランス保持部材の第１０実施例の平面図である。
【図１５】本発明に係る足底バランス保持部材の第１０実施例の使用状態を示す平面図である。
【図１６】足底の平面図である。
【発明を実施するための形態】
【００１５】
以下、添付図面を参照して本発明の好適な実施の形態を詳細に説明する。
【００１６】
図１及び図２に示すように、本発明の第１実施例は、本体（１０）と、第１調節部（２０）とを有する足底バランス保持部材である。
【００１７】
前記本体（１０）は、足底にかかる圧力を緩和するための緩衝材からなり、上面と、下面と、足底における第１中足骨骨頭部に対応する第１中足骨部（１１）と、足底における第４中足骨骨頭部に対応する第４中足骨部（１４）と、足底における踵の区域に対応する踵部（１６）とを有し、この本体（１０）は、インソールまたはミッドソールなどの靴の部材として使用される。
【００１８】
図３及び図４に示すように、第１調節部（２０）は、第１中足骨部（１１）と第４中足骨部（１４）との間に位置し、本体（１０）の上面に凹設される凹入穴からなる上面凹入構造を有する。
【００１９】
本実施例の足底バランス保持部材を使用する時は、前記本体（１０）を取り外し可能なパッドとして靴内に敷き、前記第１中足骨部（１１）及び第４中足骨部（１４）に夫々、足底における第１中足骨骨頭部及び第４中足骨骨頭部を位置させるように足を靴内に入れ、緩衝効果を発揮させる。また、前記第１調節部（２０）は、足底と密接しない凹入穴からなる上面凹入構造を有するので、足底における第１中足骨骨頭部と第４中足骨骨頭部との間に位置する第１区域にかかる圧力は夫々、前記第１中足骨部（１１）及び第４中足骨部（１４）に分散される。即ち、前記第１中足骨部（１１）及び第４中足骨部（１４）には、前記第１調節部（２０）より強く圧力がかかるので、これら第１中足骨部（１１）、第４中足骨部（１４）及び踵部（１６）は、本発明の足底バランス保持部材を使用することにより、確実に三点支持を達成することができる。
【００２０】
なお、本発明の足底バランス保持部材は、裏返した状態で使用しても構わなく、そのような状態で使用すると、前記第１調節部（２０）が前記本体（１０）の下面に位置し、その内面が該本体（１０）の上面へ湾曲可能な下面凹入湾曲構造となる。
【００２１】
図５に示すように、本発明に係る足底バランス保持部材の第２実施例では、第１調節部（２０Ａ）は、本体（１０）に挿入される緩衝材より柔軟な柔軟材からなる柔軟構造を有する。
【００２２】
図６に示すように、本発明に係る足底バランス保持部材の第３実施例は、本体（１０Ｂ）と、第１調節部（２０Ｂ）とを有し、該本体（１０Ｂ）の下面に凹入穴が凹設されると共に、該第１調節部（２０Ｂ）は、前記本体（１０Ｂ）の下面に嵌入される前記緩衝材より柔軟な柔軟材からなる下面柔軟構造を有する。尚、前記緩衝材は、前記本体（１０Ｂ）の下面の凹入穴に嵌入されることが好ましい。
【００２３】
図７に示すように、本発明に係る足底バランス保持部材の第４実施例は、本体（１０Ｃ）と、第１調節部（２０Ｃ）とを有し、該本体（１０Ｃ）に貫通穴が形成されると共に、該第１調節部（２０Ｃ）は、該本体（１０Ｃ）を貫通する貫通穴からなる貫通孔構造を有する。図８に示すように、本発明に係る足底バランス保持部材の第５実施例は、本体（１０Ｃ）と、第１調節部（２０Ｄ）とを有し、該第１調節部（２０Ｄ）は、該本体（１０Ｃ）に挿入される前記緩衝材より柔軟な柔軟材からなる柔軟構造を有する。尚、前記柔軟材は、前記本体（１０Ｃ）を貫通する貫通穴に挿入されることが好ましい。
【００２４】
図９に示すように、本発明に係る足底バランス保持部材の第６実施例は、本体（１０Ｄ）と、第１調節部（２０Ｅ）とを有し、該第１調節部（２０Ｅ）は、該本体（１０Ｄ）より薄い肉薄構造を有する。図１０に示すように、本発明に係る足底バランス保持部材の第７実施例は、本体（１０Ｄ）と、第１調節部（２０Ｆ）とを有し、該第１調節部（２０Ｆ）は、該本体（１０Ｄ）の上面及び下面に夫々嵌入される前記緩衝材より柔軟な柔軟材からなる両面柔軟構造を有する。
【００２５】
図１１に示すように、本発明に係る足底バランス保持部材の第８実施例は、本体（１０Ｅ）と、第１調節部（２０Ｇ）とを有し、該第１調節部（２０Ｇ）は中空構造を有する。尚、前記第１調節部（２０Ｇ）の中空構造には前記柔軟材が充填されてもよい。
【００２６】
上述したように、前記柔軟材を用いた第１調節部（２０Ａ、２０Ｂ、２０Ｄ、２０Ｆ）は、前記足底における第１区域に柔らかな感触を提供すると共に、該第１区域にかかる圧力を軽減することができることから、体重がより適当に前記第１中足骨部（１１）及び第４中足骨部（１４）に分散されるので、、直立姿勢、歩行または走る時には、体重が適当に該第１中足骨部（１１）、第４中足骨部（１４）及び踵部（１６）に分散される。
【００２７】
図１２及び図１３に示すように、本発明に係る足底バランス保持部材の第９実施例は、本体（１０’）と、第１調節部（２０’）とを有し、該本体（１０’）は緩衝材からなり、上面と、下面と、足底における第１中足骨骨頭部に対応する第１中足骨部（１１’）と、足底における第４中足骨骨頭部に対応する第４中足骨部（１４’）と、足底における踵の区域に対応する踵部（１６’）とを有する。
【００２８】
前記第１調節部（２０’）は、前記第１中足骨部（１１’）と第４中足骨部（１４’）との間に位置し、前記踵部（１６’）に向かって、前記本体（１０’）における足の縦軸アークの前端に対応する箇所まで延出し、該本体（１０’）を穿通する貫通穴からなる貫通孔構造と、該本体（１０’）に挿入される前記緩衝材より柔軟な柔軟材からなる柔軟構造と、該本体（１０’）の上面に凹設される凹入穴かななる上面凹入構造と、該本体（１０’）の下面に凹設される凹入穴からなる下面凹入構造と、該本体（１０’）の上面に嵌入される該緩衝材より柔軟な柔軟材からなる上面柔軟構造と、該本体（１０’）の下面に嵌入される該緩衝材より柔軟な柔軟材からなる下面柔軟構造と、該本体（１０’）より薄い肉薄構造と、該本体（１０’）の上面及び下面に夫々嵌入される該緩衝材より柔軟な柔軟材からなる両面柔軟構造と、中空構造と、該本体（１０’）の内部に充填される該緩衝材より柔軟な柔軟材からなる充填柔軟構造からなる群より選択される１つの構造を有する。
【００２９】
図１４及び図１５に示すように、本発明に係る足底バランス保持部材の第１０実施例は、本体（１０’’）と、第１調節部（２０’’）と、 第２調節部（３０）とを有し、該本体（１０’’）は緩衝材からなり、上面と、下面と、足底における第１中足骨骨頭部に対応する第１中足骨部（１１’’）と、足底における第４中足骨骨頭部に対応する第４中足骨部（１４’’）と、足底における踵の区域に対応する踵部（１６’’）とを有する。
【００３０】
前記第１調節部（２０’’）は、上述した第１実施例ないし第９実施例に記載の構造の何れかを有するものであり、前記第２調節部（３０）は、前記第４中足骨部（１４’’）と踵部（１６’’）との間に位置し、前記本体（１０’’）を穿通する貫通穴からなる貫通孔構造と、該本体（１０’’）に挿入される前記緩衝材より柔軟な柔軟材からなる柔軟構造と、該本体（１０’’）の上面に凹設される上面凹入構造と、該本体（１０’’）の下面に凹設される下面凹入構造と、該本体（１０’’）の上面に嵌入される該緩衝材より柔軟な柔軟材からなる上面柔軟構造と、該本体（１０’’）の下面に嵌入される該緩衝材より柔軟な柔軟材からなる下面柔軟構造と、該本体（１０’’）より薄い肉薄構造と、該本体（１０’’）の上面及び下面に夫々嵌入される該緩衝材より柔軟な柔軟材からなる両面柔軟構造と、中空構造と、該本体（１０’’）の内部に充填される該緩衝材より柔軟な柔軟材からなる充填柔軟構造からなる群より選択される１つの構造を有する。
【００３１】
前記第２調節部（３０）は、足底の前記第４中足骨部（１４’’）及び踵部（１６’’）と密接しないので、外股状態では足底における第４中足骨骨頭部と踵との間の部分にかかる圧力を、しっかりと支えられないことから、この体重によるプレッシャーは、夫々前記第４中足骨部（１４’’）及び前記踵部（１６’’）に配分される。これにより外股を矯正することができるのみならず、前記三点支持の構成をより確実に維持することができる。
【産業上の利用可能性】
【００３２】
本発明に係る足底バランス保持部材は、正常な直立姿勢を長時間に亘って保持するまたは正常な歩行状態を持続させる三点支持の構成を維持することができ、また、足底バランス保持部材の一部の実施例の形態は、外股を矯正する効果も提供することができる。
【符号の説明】
【００３３】
１０ 本体
１０’ 本体
１０’’ 本体
１０Ｂ 本体
１０Ｃ 本体
１０Ｄ 本体
１０Ｅ 本体
１１ 第１中足骨部
１１’ 第１中足骨部
１１’’ 第１中足骨部
１４ 第４中足骨部
１４’ 第４中足骨部
１４’’ 第４中足骨部
１６ 踵部
１６’ 踵部
１６’’ 踵部
２０ 第１調節部
２０’ 第１調節部
２０’’ 第１調節部
２０Ａ 第１調節部
２０Ｂ 第１調節部
２０Ｃ 第１調節部
２０Ｄ 第１調節部
２０Ｅ 第１調節部
２０Ｆ 第１調節部
２０Ｇ 第１調節部
３０ 第２調節部
９１ 第１中足骨骨頭部
９４ 第４中足骨骨頭部
９６ 踵
９８ 第２区域
【図１】
2011229595.tif 000003
【図２】
2011229595.tif 000004
【図３】
2011229595.tif 000005
【図４】
2011229595.tif 000006
【図５】
2011229595.tif 000007
【図６】
2011229595.tif 000008
【図７】
2011229595.tif 000009
【図８】
2011229595.tif 000010
【図９】
2011229595.tif 000011
【図１０】
2011229595.tif 000012
【図１１】
2011229595.tif 000013
【図１２】
2011229595.tif 000014
【図１３】
2011229595.tif 000015
【図１４】
2011229595.tif 000016
【図１５】
2011229595.tif 000017
【図１６】
2011229595.tif 000018